(57)【要約】【課題】従来の厨芥処理機において、乾燥ファンを駆動するモーターを蓋の内側下面に設置しているため、蓋重量が大きくなり、蓋を支持する手段を必要とし、また蓋重量が大きいため蓋の開閉そのものも操作性が悪いものであった。【解決手段】攪拌羽根（ごみ攪拌手段）２２と乾燥用遠心ファン（温風加熱手段）２９と吸込み口（排気手段）３７とを同一のモーター２７で駆動する構成とした。これにより、温風加熱手段２９を駆動するモーターを蓋２６以外に設けることが可能となり、蓋２６を軽くでき、蓋２６の支持構造も不要とし、さらに蓋２６の開閉も軽く行なえるようになる厨芥処理機を提供できる。【選択図】  図１
2005021815.tif 000002
【特許請求の範囲】
【請求項１】
生ごみ攪拌手段を備えた生ごみ収納容器と、前記生ごみ収納容器を加熱する温風加熱手段とを備え、前記生ごみ攪拌手段と前記温風加熱手段とを同一のモーターで駆動する厨芥処理機。
【請求項２】
生ごみ収納容器で発生する蒸気を排出する排気手段と、排気経路に設けた脱臭装置とを備え、生ごみ攪拌手段と温風加熱手段と前記排気手段とを同一のモーターで駆動する請求項１に記載の厨芥処理機。
【請求項３】
モーターの回転軸に複数の遠心ファンを設け、前記回転軸と生ごみ攪拌手段との間にクラッチ機構を設け、前記生ごみ攪拌手段を駆動する請求項１または２に記載の厨芥処理機。
【請求項４】
モーターの回転軸と生ごみ攪拌手段の回転軸を略水平にした請求項１〜３のいずれか１項に記載の厨芥処理機。
【請求項５】
クラッチ機構の操作と連動してモーターの電流を変動させて、モーターの負荷変動によるモーター回転数の変動をなくした請求項１〜４のいずれか１項に記載の厨芥処理機。
【請求項６】
温風加熱手段と脱臭装置の熱源を共用にした請求項１〜５のいずれか１項に記載の厨芥処理機。
【請求項７】
生ごみ収納容器の上方に吹出し口、生ごみ収納容器と生ごみ収納容器を収容する収容部の間の空間に吸込み口を備えた請求項１〜６のいずれか１項に記載の厨芥処理機。
【請求項８】
ペダルを備え、ペダルと連動して蓋が開閉する請求項１〜７のいずれか１項に記載の厨芥処理機。
【発明の詳細な説明】
【０００１】
【発明の属する技術分野】
本発明は生ごみ等の厨芥を処理する厨芥処理機に関するものである。
【０００２】
【従来の技術】
従来この種の厨芥処理機は、乾燥ファンを駆動するモーター、攪拌羽根を駆動するモーター、排気手段及び冷却ファンを駆動するモーター等、複数のモーターを備えている（例えば、特許文献１参照）。
【０００３】
図９は、特許文献１に記載された従来の厨芥処理機を示すものである。図９に示すように、１は生ごみを収納する生ごみ収納容器で、底面に生ごみを攪拌する攪拌羽根２を備えている。この生ごみ収納容器１の上部に生ごみを加熱する加熱手段３が配してある。加熱手段３は乾燥用ヒータ４及び、乾燥ファン５から構成され、熱風を生ごみに当てて生ごみの上部を加熱する。なお乾燥ファン５は乾燥モーター６により回転駆動される。
【０００４】
また生ごみ収納容器１の上方に吸気口７が設けられており、この吸気口７は排気経路８を通じて脱臭装置９に接続されている。脱臭装置９は加熱されて臭気を脱臭する触媒１０と、触媒１０を加熱する触媒加熱ヒータ１１と、臭気を触媒１０を介して排気口１２より外部に排出する排気手段１３（排気ファン１４、排気モーター１５）から構成されている。厨芥処理機本体内には制御回路１６、攪拌羽根２を駆動する駆動装置１７を設けてある。
【０００５】
上記の様な従来の厨芥処理機において、厨芥処理機本体の運転（生ごみの加熱）と同時に脱臭装置９の加熱手段が作動し触媒１０が加熱され、排気手段１３も作動すると、吸気口７から外気が吸引され、生ごみ収納容器１内の臭気を含む空気を脱臭装置９で脱臭し、排気口１２より外部に排気する。
【０００６】
【特許文献１】
特開平１１−１１４５２３号公報
【０００７】
【発明が解決しようとする課題】
しかしながら、上記厨芥処理機は乾燥ファンを駆動するモーター、攪拌羽根を駆動するモーター、排気手段及び冷却ファンを駆動するモーター等、複数のモーターを備えている。乾燥ファンを駆動するモーターは蓋の内側下面に設置しているため、蓋重量が大きくなり、蓋を支持する手段が必要となる。また攪拌羽根を駆動するモーターは間欠的に駆動し（例えば、１秒ＯＮ、１１秒ＯＦＦ）、休止期間が長いので必要なときだけ別のモーターにつないで駆動することも可能である。また、各モーターが駆動する対象と一対一で繋がっているため全体の構成が固定されて、高さを低くするとか設置面積を小さくするためには制約が多かった。
【０００８】
本発明は上記課題を解決するもので、温風加熱手段を駆動するモーターを蓋以外に設けることを可能にし、蓋を軽くして蓋の支持構造を不要とし、さらに蓋開閉も軽く行なえる厨芥処理機を提供することを目的とするものである。また、構成を簡略化し、高さを低く、または設置面積を小さくした厨芥処理機を提供することを目的とするものである。
【０００９】
【課題を解決するための手段】
上記の目的を達成するために、本発明は、生ごみ攪拌手段と温風加熱手段とを同一のモーターで駆動する構成にし、温風加熱手段を駆動するモーターを蓋以外に設けることを可能にした。これにより、蓋を軽くでき、蓋の支持構造を不要とし、さらに蓋開閉も軽く行なえるようになる。また、各駆動モーターを一つにまとめたので、各部の構成の自由度を増し、高さを低くし、さらに設置面積を小さくした厨芥処理機を提供できるようになる。
【００１０】
【発明の実施の形態】
請求項１に記載の発明は、生ごみ攪拌手段を備えた生ごみ収納容器と、前記生ごみ収納容器を加熱する温風加熱手段とを備え、前記生ごみ攪拌手段と前記温風加熱手段とを同一のモーターで駆動する構成とした。これにより、温風加熱手段を駆動するモーターを蓋以外に設けることが可能になるため、蓋を軽くでき、蓋の支持構造を不要とし、さらに蓋開閉も軽く行なえるようになる。
【００１１】
請求項２に記載の発明は、請求項１に記載の発明に加えて、生ごみ収納容器で発生する蒸気を排出する排気手段と、排気経路に設けた脱臭装置とを備え、生ごみ攪拌手段と温風加熱手段と前記排気手段とを同一のモーターで駆動する構成とした。これにより、排気手段をも同一のモーターで駆動できるようになり、各駆動モーターを一つにまとめたので、各部の構成の自由度を増し、高さを低くし、さらに設置面積を小さくした厨芥処理機を提供できるようになる。
【００１２】
請求項３に記載の発明は、請求項１または２に記載のモーターの回転軸に複数の遠心ファンを設け、前記回転軸と生ごみ攪拌手段との間にクラッチ機構を設け、前記生ごみ攪拌手段を駆動する構成とした。これにより、生ごみ攪拌手段と温風加熱手段と排気手段を、より具体的に同一のモーターで駆動できるようになる。
【００１３】
請求項４に記載の発明は、モーターの回転軸と生ごみ攪拌手段の回転軸を略水平にすることにより、生ごみ収納容器の高さが低くなり、機体の高さを低くし、また攪拌性能を向上させた厨芥処理機を提供できる。
【００１４】
請求項５に記載の発明は、クラッチ機構の操作と連動してモーターの電流を変動させて、モーターの負荷変動によるモーター回転数の変動をなくして、乾燥性能と脱臭性能を安定させた厨芥処理機を提供できる。
【００１５】
請求項６に記載の発明は、温風加熱手段と脱臭装置の熱源を共用にして、省エネルギーと機体を小型にして設置性を向上させた厨芥処理機を提供できる。
【００１６】
請求項７に記載の発明は、生ごみ収納容器の上方に吹出し口、生ごみ収納容器と生ごみ収納容器を収容する収容部の間の空間に吸込み口を備えることにより、熱風が生ごみの上方から均一に当り、乾燥性能を向上させ、また、吸込み口からごみの細塵が熱風の循環経路に入らない厨芥処理機を提供できる。
【００１７】
請求項８に記載の発明は、ペダルを備え、ペダルと連動して蓋が開閉することにより、蓋開閉操作が楽な厨芥処理機を提供できる。
【００１８】
【実施例】
以下、本発明の実施例について図面を参照しながら説明する。
【００１９】
（実施例１）
図１は本発明の第一の実施例における厨芥処理機の断面図を、図２〜図４は同、要部の運転状態を表す構造図を、それぞれ示すものである。図１において、生ごみ収納容器２１は生ごみ攪拌手段の攪拌羽根２２を備え、本体２３内の収納部２４に設置されている。攪拌羽根２２はプーリー２５の回転軸により駆動される。生ごみ収納容器２１の上方には蓋２６が開閉自在に設けてある。本体２３内にはモーター２７を備え、モーター２７の回転軸２８に乾燥用遠心ファン２９と吸引用遠心ファン３０を設け、さらに回転軸２８とプーリー２５の間にアイドラ―Ａ３１、アイドラ―Ｂ３２を設けている。アイドラ―Ａ３１、アイドラ―Ｂ３２はモーター２７の回転をプーリー２５に伝えるクラッチ機構である。図２、３、４でアイドラ―Ａ３１、アイドラ―Ｂ３２の動きを説明する。図２において、アイドラ―Ａ３１はプーリー２５に当接した状態にあり、ソレノイド３３によりモーター２７の回転軸２８へ押し当てられると図３の状態となり、モーター２７の回転軸２８が反時計方向に回転するとプーリー２５はアイドラ―Ａ３１によってモーター２７の回転力が伝えられて反時計方向に回転する。
【００２０】
また、図４のように、アイドラ―Ｂ３２がソレノイド３４によりモーター２７の回転軸２８とアイドラ―Ａ３１の両方へ押し当てられると、モーター２７の回転力はアイドラ―Ａ３１、アイドラ―Ｂ３２を介してプーリー２５へ伝えられ時計方向に回転する。ソレノイド３３、３４とアイドラ―Ａ３１、アイドラ―Ｂ３２によるクラッチ機構によりモーター２７の回転力をプーリー２５へ伝える時、負荷変動によりモーター２７の回転数が変動すると、乾燥性能や脱臭装置の性能が変動することになる。そこで、本発明ではソレノイド３３、３４とアイドラ―Ａ３１、アイドラ―Ｂ３２によるクラッチ機構が動作すると同時にモーター２７の電流値を高めてモーター２７の回転力を高めて回転数の変動を防止し、乾燥性能や脱臭装置の性能が変動しないようにしている。
【００２１】
また、図１において、乾燥用遠心ファン２９は本体内２３の収納部２４と蓋２６で囲まれた空間との間に熱風の循環経路を構成しており、乾燥用遠心ファン２９の吹出し側の経路にヒータ３５を備え、吹出し口３６は生ごみ収納容器２１の上方に臨んでいる。乾燥用遠心ファン２９の吸込み側の経路は収納部２４へ伸び、吸込み口３７は生ごみ収納容器２１と収納部２４の間の空間に臨んでいる。吸引用遠心ファン３０は乾燥用遠心ファン２９の吸込み側の経路から臭気を含む蒸気を吸引し、脱臭装置３８を通して排気する。３０ａは吸引用遠心ファン３０と一体となったシロッコファンでモーター２７及び本体２３内を冷却する。
【００２２】
（実施例２）
図５は、本発明の第二の実施例における厨芥処理機の断面図を、図６は、同、脱臭装置を備えた厨芥処理機の断面図を、それぞれ示すものである。
【００２３】
図５において、攪拌羽根２２の回転軸２２ａとモーター２７の回転軸２８は略水平に設けてある。第一の実施例と同様に、モーター２７の回転力はアイドラ―Ａ３１、アイドラ―Ｂ３２とソレノイド（図示せず）によるクラッチ機構によって、プーリー２５へ伝えられ、攪拌羽根２２が上下に回転する。乾燥用遠心ファン２９は本体内２３の収納部２４と蓋２６で囲まれた空間との間に熱風の循環経路を構成しており、乾燥用遠心ファン２９の吹出し側の経路にヒータ３５を備え、吹出し口３６は生ごみ収納容器２１の上方に臨んでいる。乾燥用遠心ファン２９の吸込み側の経路は収納部２４へ伸び、吸込み口３７は生ごみ収納容器２１と収納部２４の間の空間に臨んでいる。吸引用遠心ファン３０は乾燥用遠心ファン２９の吸込み側の経路から臭気を含む蒸気を吸引し、脱臭装置３８を通して排気する。３０ａは吸引用遠心ファン３０と一体となったシロッコファンでモーター２７及び本体２３内を冷却する。上記構成で、攪拌羽根２２が上下に回転するため生ごみ収納容器２１内の生ごみは上に掻き揚げられて落下を繰りかえし、その間、熱風に曝されるので乾燥効率が向上する。また、モーターの回転軸と生ごみ攪拌手段の回転軸を略水平にすることにより、同一容積での生ごみ収納容器の高さが低くなり機体高さも低くなる。
【００２４】
また、図６に示すように、乾燥用遠心ファン２９の吹出し側の経路内に脱臭装置３８を設けることにより、脱臭装置３８の熱原を生ごみの乾燥と脱臭の両方に使うことが出来て、省エネルギーと機体の小型化の効果を得られる。
【００２５】
（実施例３）
図７は、本発明の第三の実施例における厨芥処理機の断面図を、図８は、同、要部を断面にした厨芥処理機の平面図を、それぞれ示すものである。
【００２６】
図７、８において、蓋２６の開閉の支点となるヒンジ部は蓋２６の端部に設けた回転部支持板３９が支持軸４０で支持され、高摩擦抵抗のクラッチ部材４１とウォームホイール４２とウォームギア４３、圧縮バネ４３で構成されている。ウォームギア４３はモーター４４の軸に固定され、ウォームホイール４２と噛み合っている。ウォームホイール４２は圧縮バネ４３によって付勢され、間にクラッチ部材４１を介して回転部支持板３９と圧接している。モーター４４によってウォームギア４３が回転すると、ウォームギア４３と噛み合ったウォームホイール４２が回転し、ウォームホイール４２に圧接している回転部支持板３９も同時に回転して蓋４６が開く。本体２３の前面の下部には蓋２６を開くためのスイッチとなるペダル４５を設けている。ペダル４５の代わりに蓋２６の前面端部に蓋開ボタン４６を設けてもよい。
【００２７】
【発明の効果】
以上のように本発明によれば、温風加熱手段を駆動するモーターを蓋以外に設けることを可能にして、蓋を軽くし、蓋の支持構造を不要とし、さらに蓋開閉も軽く行なえる厨芥処理機を提供できるものである。
【図面の簡単な説明】
【図１】本発明の実施例１における厨芥処理機の断面図
【図２】同、厨芥処理機要部の運転状態を表す構造図
【図３】同、厨芥処理機要部の他の運転状態を表す構造図
【図４】同、厨芥処理機要部の他の運転状態を表す構造図
【図５】本発明の実施例２における厨芥処理機の断面図
【図６】同、脱臭装置を備えた厨芥処理機の断面図
【図７】本発明の実施例３における厨芥処理機の断面図
【図８】同、要部を断面にした厨芥処理機の平面図
【図９】従来の厨芥処理機の断面図
【符号の説明】
２１  生ごみ収納容器
２２  攪拌羽根
２５  プーリー
２６  蓋
２７  モーター
２８  回転軸
２９  乾燥用遠心ファン
３０  吸引用遠心ファン
３１  アイドラ―Ａ
３２  アイドラ―Ｂ
３５  ヒータ
３６  吹出し口
３７  吸込み口
３８  脱臭装置
【図１】
2005021815.tif 000003
【図２】
2005021815.tif 000004
【図３】
2005021815.tif 000005
【図４】
2005021815.tif 000006
【図５】
2005021815.tif 000007
【図６】
2005021815.tif 000008
【図７】
2005021815.tif 000009
【図８】
2005021815.tif 000010
【図９】
2005021815.tif 000011